(57)【要約】   無線ヘッドセットは第１のイヤピースおよび第２のイヤピースを含み、ここにおいて第１および第２のイヤピースは無線リンクで互いに通信する。構成次第で、第１のイヤピースは、オーディオソースからオーディオを受信する主無線インタフェース、および第２のイヤピースにオーディオの一部を送信する副無線インタフェースの両方を含む。これらイヤピースは、相互間の無線リンクを提供する近接フィールド通信（ＮＦＣ）技術を採り入れることができる。無線ヘッドセットはこれらイヤピースでのオーディオ出力を同期させるように構成でき、また第１のイヤピースが第１のイヤピースだけでのオーディオ出力となるスタンドアローンモード、または第２のイヤピースが第１のイヤピースの無線範囲内にあることが検出されたときに両イヤピースでのオーディオ出力となるフルヘッドセットモードのどちらかで用いられるようにする第２のイヤピース検出機構をさらに含むことができる。
2010523018.tif 000002
【特許請求の範囲】
【請求項１】
第１のイヤピースと、 
第２のイヤピースとを備え、   
ここにおいて前記第１および第２のイヤピースは互いに無線リンクで通信するように構成されるヘッドセット。 
【請求項２】
ここにおいて前記第１のイヤピースは第１の無線リンクでオーディオソースと通信するように構成される第１の無線インタフェースを含む請求項１のヘッドセット。 
【請求項３】
ここにおいて前記第１のイヤピースは前記無線リンクで前記第２のイヤピースと通信するように構成される第２の無線インタフェースを含み、ここにおいて前記第２のイヤピースは前記無線リンクで前記第１のイヤピースと通信するように構成される無線インタフェースを含む請求項２のヘッドセット。 
【請求項４】
ここにおいて前記第１のイヤピースは前記無線リンクで前記第２のイヤピースに１以上のオーディオパケットを送信するように構成される請求項１のヘッドセット。 
【請求項５】
ここにおいて前記第１のイヤピースは前記第２のイヤピースへ送信される前にデジタル化オーディオをトランスコードするプロセッサを含む請求項４のヘッドセット。 
【請求項６】
ここにおいて前記プロセッサは前記第１のイヤピースによって受信されるオーディオをデコードし、かつ演算量削減コーデックを用いて前記デコードしたオーディオの少なくとも一部をエンコードするように構成される請求項５のヘッドセット。 
【請求項７】
ここにおいて前記オーディオパケットの各々は前記第１および第２のイヤピースのオーディオ出力を同期させるタイムスタンプを含む請求項４のヘッドセット。 
【請求項８】
前記第１および第２のイヤピースのオーディオ出力を同期させる手段をさらに備える請求項１のヘッドセット。    
【請求項９】
ここにおいて前記第１のイヤピースは前記無線リンクで１以上の時間同期パケットを前記第２のイヤピースへ送信する請求項１のヘッドセット。 
【請求項１０】
ここにおいて前記無線リンクは近接フィールド通信（ＮＦＣ）無線リンクである請求項１のヘッドセット。 
【請求項１１】
ここにおいて前記第１のイヤピースは前記第１のイヤピースでの出力用オーディオをバッファするように構成されるオーディオバッファを含む請求項１のヘッドセット。 
【請求項１２】
ここにおいて前記第２のイヤピースは前記第２のイヤピースの出力用オーディオをバッファするように構成されるオーディオバッファを含む請求項１のヘッドセット。 
【請求項１３】
ここにおいて前記第１のイヤピースはマイクを含む請求項１のヘッドセット。 
【請求項１４】
ここにおいて前記第１のイヤピースはエコーキャンセラを含む請求項１のヘッドセット。 
【請求項１５】
第１の無線リンクでオーディオソースと通信するように構成される第１の無線インタフェース、および第２の無線リンクで第２のイヤピースと通信するように構成される第２の無線インタフェースを有する第１のイヤピースを備えるヘッドセット。         
【請求項１６】
前記オーディオソースから受信される第１のエンコードされたオーディオを第２のエンコードされたオーディオへトランスコードするように構成されるプロセッサと、 
前記第２のエンコードされたオーディオを前記第２の無線インタフェース経由で送信する手段とをさらに備える請求項１５のヘッドセット。 
【請求項１７】
ここにおいて前記第１の無線インタフェースは、ブルートゥースインタフェースおよびＷｉ−Ｆｉインタフェースを含むグループから選択される請求項１５のヘッドセット。
【請求項１８】
ここにおいて前記第２の無線インタフェースは近接フィールド通信（ＮＦＣ）インタフェースである請求項１５のヘッドセット。 
【請求項１９】
前記第１の無線インタフェースからオーディオを受信し、このオーディオを処理し、処理されたオーディオの少なくとも一部を前記第２の無線リンクで前記第２のイヤピースへ送信するために前記第２無線インタフェースに転送するように構成されるプロセッサをさらに備える請求項１５のヘッドセット。
【請求項２０】
ヘッドセットでオーディオを出力する方法であって、 
第１のイヤピースで前記オーディオを受信し、 
前記オーディオを前記第１のイヤピースから無線リンクで第２のイヤピースへ送信し、 
前記オーディオを前記第１および第２のイヤピースで出力することを備える方法。 
【請求項２１】
前記受信したオーディオに対応するコーデックタイプを検出し、 
前記コーデックタイプに基づいて前記受信したオーディオをトランスコードするか判断し、
前記コーデックタイプが所定クラスのコーデックである場合に前記受信したオーディオをトランスコードすることをさらに備える請求項２２の方法。
【請求項２２】
前記コーデックタイプが前記所定クラスのコーデックでない場合に、前記受信したオーディオを第１のチャンネルだけについてデコードし、 
前記第１のチャンネルオーディオを前記第１のイヤピースでの出力用にバッファし、 
受信してデコードされなかったオーディオの第２のチャンネルを前記無線リンクで前記第２のイヤピースへ送信するためにパケット化することをさらに備える請求項２２の方法。 
【請求項２３】
ここにおいてトランスコードすることは、
前記受信したオーディオを第１および第２チャンネルにデコードし、
演算量削減コーデックを用いて前記第２のチャンネルオーディオをエンコードする請求項２２の方法。 
【請求項２４】
前記第１のチャンネルオーディオおよび第２のチャンネルオーディオにタイムスタンプし、  
前記第１のチャンネルオーディオを前記第１のイヤピースでの出力用にバッファし、 
前記無線リンクで前記第２のイヤピースへ送信するために前記第２のチャンネルオーディオをパケット化することをさらに備える請求項２４の方法。  
【請求項２５】
前記第１のイヤピースが前記第２のイヤピースを検出し、前記第２のイヤピースの検出に伴って前記第１および第２のイヤピース間の無線リンクを確立することをさらに備える請求項２１の方法。 
【請求項２６】
前記第１および第２のイヤピース内のローカルクロックを同期させることをさらに備える請求項２１の方法。 
【請求項２７】
前記第１のイヤピースでタイムスタンプを生成し、
このタイムスタンプを前記無線リンクで前記第２のイヤピースへ送信し、 
このタイムスタンプに基づいて前記第２のイヤピース内のローカルクロックを設定し、 
このローカルクロックに基づいて前記第２のイヤピースでオーディオを出力することをさらに備える請求項２１の方法。 
【請求項２８】
前記第２のイヤピースが前記無線リンクで受信されるオーディオをデコードすることをさらに備える請求項２１の方法。
【請求項２９】
ヘッドセットでオーディオを出力するシステムであって、 
第１のイヤピースでオーディオを受信する手段と、 
無線リンクで前記第１のイヤピースから第２のイヤピースにオーディオを送信する手段と、
前記第１および第２のイヤピースでオーディオを出力する手段とを備えるシステム。 
【請求項３０】
前記受信したオーディオに対応するコーデックタイプを検出する手段と、 
このコーデックタイプに基づいて前記受信したオーディオをトランスコードするか判断する手段と、         
このコーデックタイプが所定クラスのコーデックである場合に前記受信したオーディオをトランスコードする手段とをさらに備える請求項２９のシステム。 
【請求項３１】
前記コーデックタイプが所定クラスのコーデックでない場合に、前記受信したオーディオを第１のチャンネルだけについてデコードする手段と、 
前記第１のイヤピースでの出力用に前記第１のチャンネルオーディオをバッファする手段と、
前記無線リンクで前記第２のイヤピースへの送信するために、受信してデコードされなかったオーディオの第２のチャンネルをパケット化する手段とをさらに備える請求項３０のシステム。 
【請求項３２】
ここにおいて前記トランスコードする手段は、
前記受信したオーディオを第１および第２のチャンネルにデコードする手段と、
演算量削減コーデックを用いて前記第２のチャンネルオーディオをエンコードする手段を含む請求項３０のシステム。 
【請求項３３】
前記第１のチャンネルオーディオおよび第２のチャンネルオーディオをタイムスタンプする手段と、  
前記第１のイヤピースでの出力用に前記第１のチャンネルオーディオをバッファする手段と、
前記無線リンクで前記第２のイヤピースへ送信するために前記第２のチャンネルオーディオをパケット化する手段とをさらに備える請求項３２のシステム。  
【請求項３４】
前記第１のイヤピースに含まれ前記第２のイヤピースを検出する手段と、 
前記第２のイヤピースの検出に伴って、前記第１および第２のイヤピース間の無線リンクを確立する手段とをさらに備える請求項３１のシステム。 
【請求項３５】
前記第１および第２のイヤピース内のローカルクロックを同期させる手段をさらに備える請求項３０のシステム。 
【請求項３６】
前記第１のイヤピースでタイムスタンプを生成する手段と、 
このタイムスタンプを前記無線リンクで前記第２のイヤピースへ送信する手段と、 
このタイムスタンプに基づいて前記第２のイヤピース内のローカルクロックを設定する手段と、
このローカルクロックに基づいて前記第２のイヤピースでオーディオを出力する手段をさらに備える請求項３１のシステム。 
【請求項３７】
前記第２のイヤピースに含まれ前記無線リンクで受信したオーディオをデコードする手段をさらに備える請求項３１のシステム。 
【請求項３８】
複数の命令のセットを組み込むコンピュータ可読媒体であって、これら命令のセットは１以上のプロセッサによる実行時に、
第１のイヤピースでオーディオを受信するコードセグメントと、
このオーディオを前記第１のイヤピースから無線リンクで第２のイヤピースへ送信するコードセグメントと、
このオーディオを前記第１のイヤピースで出力するコードセグメントを備える。  
【請求項３９】
前記受信したオーディオに対応するコーデックタイプを検出するコードセグメントと、 
このコーデックタイプに基づいて前記受信したオーディオをトランスコードするか判断するコードセグメントと、
このコーデックタイプが所定クラスのコーデックである場合に、前記受信オーディオをトランスコードするコードセグメントとをさらに備える請求項３８のコンピュータ可読媒体。 
【請求項４０】
前記コーデックタイプが所定クラスのコーデックでない場合に、前記受信したオーディオを第１のチャンネルだけについてデコードするデコードセグメントと、 
前記第１のイヤピースでの出力用に前記第１のチャンネルオーディオをバッファするコードセグメントと、 
前記無線リンクで前記第２のイヤピースへの送信するために、受信してデコードされなかったオーディオの第２のチャンネルをパケット化するコードセグメントをさらに備える請求項３９のコンピュータ可読媒体。 
【請求項４１】
ここにおいて前記トランスコードするコードセグメントは、
前記受信したオーディオを第１および第２のチャンネルにデコードするコードセグメントと、
演算量削減コーデックを用いて前記第２のチャンネルオーディオをエンコードするコードセグメントとを含む請求項３９のコンピュータ可読媒体。
【請求項４２】
前記第１のチャンネルオーディオおよび第２のチャンネルオーディオをタイムスタンプするコードセグメントと、  
前記第１のイヤピースでの出力用に前記第１のチャンネルオーディオをバッファするコードセグメントと、
前記無線リンクで前記第２のイヤピースへ送信するために前記第２のチャンネルオーディオをパケット化するコードセグメントとをさらに備える請求項４１のコンピュータ可読媒体。 
【請求項４３】
前記第１のイヤピースによって実行可能で前記第２のイヤピースを検出するコードセグメントと、 
前記第２のイヤピースの検出に伴って、前記第１および第２のイヤピース間の無線リンクを確立するコードセグメントとをさらに備える請求項３８のコンピュータ可読媒体。 
【請求項４４】
前記第１および第２のイヤピース内のローカルクロックを同期させるコードセグメントをさらに備える請求項３８のコンピュータ可読媒体。 
【請求項４５】
前記第１のイヤピースでタイムスタンプを生成するコードセグメントと、 
このタイムスタンプを前記無線リンクで前記第２のイヤピースへ送信するコードセグメントと、 
このタイムスタンプに基づいて前記第２のイヤピース内のローカルクロックを設定するコードセグメントと、
このローカルクロックに基づいて前記第２のイヤピースでオーディオを出力するコードセグメントをさらに備える請求項３８のコンピュータ可読媒体。 
【請求項４６】
前記第２のイヤピースによって実行可能で前記無線リンクで受信したオーディオをデコードする手段をさらに備える請求項３８のコンピュータ可読媒体。
【発明の詳細な説明】
【技術分野】
【０００１】
３５Ｕ．Ｓ．Ｃ．§１１９に基づく優先権の主張
本特許出願は、 ２００７年３月１４日にファイルされその譲受人に譲渡された「近接フィールド通信ヘッドセット(Near-Field Communications Headset)」と題した仮出願６０／９１８，２５２の優先権を主張する。
【０００２】
この開示は、一般にオーディオ通信に関し、特にオーディオヘッドセットに関する。
【背景技術】
【０００３】
有線および無線のヘッドセットが知られる。従来の有線ヘッドセットはユーザの耳上や耳内にフィットすることを意図した１または２つのイヤピース(earpieces)とオーディオソース(audio source)との間に走る配線を有する。多くの場合、無線ヘッドセットは単に有線ヘッドセットの代替品である。一般に、無線ヘッドセットは、ヘッドセットとオーディオソースとの間に走る配線を無線リンクで置き換えている。無線ヘッドセットは、ユーザがもはや配線でオーディオソースに繋がれないので、より大きなユーザ自由度を提供するために利用される。有線および無線ヘッドセットの両方は、コードレス電話(cordless telephones)、移動無線機(mobile radios)、パーソナルデジタル端末（ＰＤＡ: personal digital assistants）、セルラ加入者ユニット(cellular subscriber units)等のような通信装置とか、ＭＰ３プレーヤ(MP3 players)、ステレオシステム(stereo systems)、ラジオ(radios)、ビデオゲーム(video games)、パーソナルコンピュータ(personal computers)、ラップトップコンピュータ(laptop computers)等のような他の装置とかのオーディオソースと共に用いられることが知られる。 
既知の無線ヘッドセットは、無線周波数（ＲＦ）あるいは赤外線無線技術を利用して、オーディオソースと通信する。こうした無線ヘッドセット通信は、ｗｗｗ．ｂｌｕｅｔｏｏｔｈ(登録商標)．ｃｏｍで利用可能なブルートゥース(登録商標)仕様書(Bluetooth Specification)で定義されるもののようなパーソナルワイヤレスネットワーク(personal wireless network)にまで広がっている。ブルートゥース仕様書は無線ヘッドセット機能を規定する明確なガイドラインを備える。特に、ブルートゥース仕様書は、デバイスプライベートネットワーク（device private network）に無線ヘッドセットを接続するプロトコル(protocols)およびプロシージャ（procedures）を定義するヘッドセットプロファイル(Headset Profile)を備える。一旦環境設定されると、ヘッドセットはデバイスのオーディオ入力および／または出力として機能できる。従って、ブルートゥースネットワークの特に一般的利用は、セルラ電話、ＭＰ３プレーヤおよびＰＤＡのために無線ヘッドセット接続性を提供することである。加えて、ブルートゥース仕様書は、またブルートゥースネットワークで高品質のステレオまたはモノオーディオを無線で配給するプロトコルおよびプロシージャを定義するアドバンスドオーディオディストリビューションプロファイル（Ａ２ＤＰ: Advanced Audio Distribution Profile）を提供する。   
無線および有線ヘッドセットはシングルイヤピース(single earpiece)およびデュアルイヤピース(dual earpiece)構成の両方で利用可能である。 デュアルイヤピースのヘッドセットでは、これらイヤピースが一緒に結線されて、各々の耳上または耳内に固定するヘッドバンドと一体化される。 
デュアルイヤピースヘッドセットは、ステレオオーディオの再生を許容し、また隣接環境からの雑音を遮断する一方でユーザがオーディオ出力に完全に熱中することを没頭することを状況次第で許容することから有利である。 しかしながら、既知のデュアルイヤピースヘッドセットは、イヤピース間の補助配線を必要とし、それらが脇役を勤めようとするＭＰ３プレーヤ、ＰＤＡおよびセルラ電話のような現代的オーディオソースデバイスのいくつかよりもヘッドセットを往々にして大きくしてしまうヘッドバンドをしばしば含む。加えて、デュアルイヤピースヘッドセットはいくつかの状況において非常に望ましいが、他の状況においては望ましくない。例えば、いくつかの法域では、デュアルイヤピースヘッドセットを着用しながら公道上で自動車を運転することは許されない。 
従って、ユーザがシングルイヤピースまたはデュアルイヤピース構成のどちらかを便利に選択できる改善されたヘッドセットに対する必要性がある。また、イヤピース間の配線およびヘッドバンドを不要にし、これゆえ多くの現代的オーディオデバイスの比較的小さいサイズに対して好ましい規模であるデュアルイヤピース構成を提供する改善されたヘッドセットに対する必要性もある。
【発明の概要】
【０００４】
極めて優れたユーザ自由度をもたらす新規の改善された無線ヘッドセットがここに開示される。ここに記載のヘッドセットは、これらイヤピースやオーディオソース間に走る配線を伴わずに完全に無線にできる。ヘッドセットのデュアルイヤピース構成は、これらイヤピース間の配線やヘッドバンドを必要としない。 
無線ヘッドセットの１観点によれば、無線ヘッドセットが第１のイヤピースおよび第２のイヤピースを備え、ここにおいてこれら第１および第２のイヤピースが無線リンクで互いに通信する。
【０００５】
無線ヘッドセットの他の観点によれば、第１のイヤピースがオーディオソースからオーディオを受信する主無線インタフェースおよび第２のイヤピースにオーディオの少なくとも一部を送信する副無線インタフェースの両方を含んでよい。   
無線ヘッドセットのさらなる観点によれば、ヘッドセットでオーディオを出力する方法が、第１のイヤピースでオーディオを受信し、このオーディオを無線リンクで第１のイヤピースから第２のイヤピースへ送信し、このオーディオを第１および第２のイヤピースで出力することを備える。 
無線ヘッドセットの付加的観点によれば、ヘッドセットでオーディオを出力するシステムが、第１のイヤピースでオーディオを受信する手段と、このオーディオを第１のイヤピースから第２のイヤピースへ無線リンクで送信する手段と、このオーディオを第１および第２のイヤピースで出力する手段とを備える。
【０００６】
無線ヘッドセットの他の観点によれば、複数の命令のセットを組み込むコンピュータ可読媒体であって、これら命令のセットは１以上のプロセッサによる実行時に、第１のイヤピースでオーディオを受信するコードセグメントと、このオーディオを第１のイヤピースから無線リンクで第２のイヤピースへ送信するコードセグメントと、このオーディオを第１のイヤピースで出力するコードセグメントとを備える。 
無線ヘッドセットの他の観点、特徴、および利点は、以下の図および詳細な説明を検討することに伴って当該技術の熟練者に明らかであったり、明らかになったりするはずである。こうした付加的特徴、観点、処理、および利点の全てがこの説明内に含まれ、添付請求項によって保護されることを意図している。 
【図面の簡単な説明】
【０００７】
図面はもっぱら説明のためであることを理解されたい。さらに、図中のコンポーネントは、必ずしもスケール変更、強調をするものでなく、その代わりに無線ヘッドセットの原理および様々な観点を説明するものとして置かれている。これらの図中では、同様な参照番号が相違する視界で対応部分を指す。 
【図１】無線でリンクしたイヤピースを備える模範的無線ヘッドセットを着用したユーザを示す図である。
【図２】図１の無線ヘッドセットシステムのコンポーネントを示す概念ブロック図である。
【図３】図１の無線ヘッドセットシステムの特有コンポーネントを示す詳細なブロック図である。
【図４】この無線ヘッドセットに含まれる主イヤピースのある機能的側面を示す概念ブロック図である。
【図５】この無線ヘッドセットの主イヤピースによって行われるオーディオ処理の方法を示すフローチャートである。
【図６】この無線ヘッドセットに含まれる副イヤピースを動作させる方法を示すフローチャートである。
【図７】主および副イヤピース間でのオーディオ出力クロック同期の方法を示すフローチャートである。
【図８】副イヤピース内のローカルオーディオ出力クロックを調整するプロセスを概念的に示す。
【図９】主および副イヤピース間で送信されるオーディオおよび時間同期パケットの模範的フォーマットを示す。
【発明を実施するための形態】
【０００８】
以下の詳細な説明は、図面を参照して組み入れるものであって、１以上の独自実施形態を記述している。これら実施形態は、限定するためでなく単に例示および教示するために提供されるものであって、当該技術の熟練者が請求事項を実施できるように十分詳細に記述および図示される。ゆえに、この記述は当該技術の熟練者にとって既知である何らかの情報を簡潔さのために省略することがある。 
用語「模範的(exemplary)」は、「手本、具体例、あるいは実例として役立つ」ことを意味してこの開示の全体にわたって使用されている。ここで「模範的」として記述される何らかの特徴な実施形態は必ずしも他の特徴や実施形態に対して好ましいとか有利であると解釈されない。
【０００９】
ここで図面、特に図１に向き直れば、無線でリンクしたイヤピース１２、１４を備えた模範的無線ヘッドセット１１を着用したユーザ１６が示されている。この無線ヘッドセット１１は、主無線リンク２０経由でオーディオソース１０と通信する。無線ヘッドセット１１およびオーディオソース１０は無線ヘッドセットシステム１５を構成する。 
無線ヘッドセット１１は主イヤピース(primary earpiece)１２および副イヤピース(secondary earpiece)１４という分離した２片として着用される。主イヤピース１２は、ＲＦまたは赤外線の主無線リンク(primary wireless link)２０経由でオーディオソース１０と通信し、副イヤピース(secondary earpiece)１４から別れて、あるいは単独で着用されてよい。副イヤピース１４は主イヤピース１２との副無線リンク経由でオーディオおよび他の情報を受信する。主イヤピース１２上のオプションのマイクはオーディオソース１０へ戻る音声通信を可能にする。 
オーディオソース１０は、オーディオ信号によって表わされるオーディオがヘッドセット１１からユーザに出力され得るようにヘッドセット１１にオーディオ信号を送信できる何らかの装置あってよい。このオーディオソースは、例えばコードレス電話、移動無線機、パーソナルデジタル端末（ＰＤＡ）、セルラ加入者ユニット等のような通信装置とか、ＭＰ３プレーヤ、ステレオシステム、ラジオ、ビデオゲーム、パーソナルコンピュータ、ラップトップコンピュータ等のような他の装置とかであってよい。
【００１０】
オーディオソース１０およびヘッドセット１１間において主無線リンク２０で送信されるオーディオ信号は、４４．１ｋＨｚの工業標準レート(industry standard rate)でサンプリングされたデジタル化オーディオ(digitized audio)を表わせる。 
ヘッドセット１１およびイヤピース１２、１４は、ユーザの耳にしっかりフィットするように改変したふさわしい物理形状およびサイズを有し得る。例えば、イヤピース１２および１４はユーザの耳たぶに隠れてユーザの外耳道上または内に取り付ける従来のフック形イヤピースであり得る。ヘッドセット１１は、またイヤピース１２、１４を接続するヘッドバンド（図示せず）を含み得る。
【００１１】
図２は、図１の無線ヘッドセットシステム１５のコンポーネントを示す概念ブロック図である。 主イヤピース１２は、主無線リンク２０経由でオーディオソース１０と通信し、副無線リンク２２経由で副イヤピース１４と通信する。主イヤピース１２は、主無線リンク２０用の第１アンテナ２６、および副無線リンク用の第２アンテナ２８を含んでよい。副イヤピース１４は副無線リンク２２で通信するためのアンテナ３０を含む。 
主イヤピース１２は主および副リンク２０、２２に対してそれぞれ個別のアンテナ２６および２８を有するように示されているが、当該技術の熟練者は状況次第で主イヤピース１２が主および副無線リンク２０、２２の両方に対して単一のアンテナを使用し得ることを理解するはずである。 
主無線リンク２０は、ブルートゥース、Ｗｉ−Ｆｉ、ウルトラワイドバンド（ＵＷＢ）、または無線ＵＳＢリンクのような短距離無線ネットワークを含む何らかのふさわしい無線通信技術を用いて実現されてよい。好ましくは、主無線リンク２０がブルートゥース仕様書に従って実現されるオーディオ搬送用ブルートゥース無線リンクである。 
副無線リンク２２は何らかのふさわしい無線通信技術を用いてよく、好ましくはＥＣＭＡ−３４０（ＩＳＯ／ＩＥＣ  １８０９２）を含むＮＦＣ標準仕様に従って動作する近接フィールド通信（ＮＦＣ）無線装置を用いて実現される。 
動作において、主イヤピース１２は主無線リンク２０経由でステレオかモノラルのオーディオ信号を受信してよい。主イヤピース１２はこのオーディオ信号をデコードし、ユーザへの出力のために自身のオーディオトランスデューサへオーディオ信号を渡す。このオーディオ信号またはその一部のコピーは、できる限りビットレートを低減するためにトランスコードされ、また副無線リンク２２経由で副イヤピース１４に送られる。主イヤピース１２によって受信されたオーディオ信号がステレオである場合には、主イヤピース１２が一方のステレオチャンネルを自身のオーディオトランスデューサに渡して、他方のステレオチャンネルをエンコードされた(encoded)オーディオとして副無線リンク２２に送ってよい。副イヤピース１４が存在しない場合には、主イヤピース１４が代わりに自身のオーディオトランスデューサにオーディオを渡すのに先立って、入って来るステレオをモノラルオーディオにダウンミックス(downmix)する。 
図３は、無線ヘッドセットシステム１５の特有コンポーネントを示す詳細な概念ブロック図である。主イヤピース１２はアンテナ(antennas)２６、２８、主無線インタフェース(primary wireless interface)５０、副無線インタフェース(secondary wireless interface)５２、プロセッサ(processor)５４、メモリ(memory)５６、オーディオ出力バッファ(audio output buffer)５８、オーディオ送信（Ｔｘ）バッファ(audio transmit buffer)６０、オーディオ出力回路(audio output circuitry)６２、マイク入力回路(microphone input circuitry)６４、スピーカ(speaker)６８およびマイク(microphone)６６を含む。主イヤピース１２は、またバッテリ７０およびバッテリ充電器回路７２(battery charger circuit)を含む。  
主無線インタフェース５０はオーディオソース１０との双方向無線通信を提供する。好ましくは、主無線インタフェース５０が市販のブルートゥースモジュール(Bluetooth module)を含み、これがブルートゥースＲＦトランシーバ(Bluetooth RF transceiver)、ベースバンドプロセッサ(baseband processor)、プロトコルスタック(protocol stack)、さらにはこのモジュールをプロセッサ５４に接続するハードウェアおよびソフトウェアインタフェース(hardware and software interfaces)から成るブルートゥースコアシステム(Bluetooth core system)を少なくとも提供する。
【００１２】
プロセッサ５４は主イヤピース１２の全体動作、並びにこれに収容される複数の特定コンポーネントを制御する。プロセッサ５４は、ここに記述されるような機能およびプロセスを主イヤピース１２に行わせるためにメモリ５６に格納されたプログラム命令を実行する何らかのふさわしい処理デバイスであってよい。例えば、プロセッサ５４は、ＡＲＭ７、デジタル信号プロセッサ（ＤＳＰ: digital signal processor）、１以上の特定用途向け集積回路（ＡＳＩＣ: application specific integrated circuits）、複数のフィールドプログラム可能ゲートアレイ（ＦＰＧＡ: field programmable gate arrays）、複数のプログラム可能複合ロジックデバイス（ＣＰＬＤ: complex programmable logic devices）、ディスクリートロジック(discrete logic)、ソフトウェア(software)、ハードウェア(hardware)、ファームウェア(firmware)あるいは何らかのふさわしいこれらの組み合わせのようなマイクロプロセッサ(microprocessor)でよい。 
メモリ５６は、プロセッサ５４によって実行され使用されるプログラム命令およびデータを格納する何らかのふさわしいメモリデバイスである。   
オーディオ出力バッファ５８は、主イヤピース１２で演奏するためのオーディオ出力回路６２に転送される前にデジタル化オーディオを一時的に格納する何らかのふさわしいメモリデバイスである。オーディオ出力バッファ５８は、プロセッサ５４によって制御され、主イヤピース１２での出力を待つタイムスタンプされたオーディオパケット(time-stamped audio packets)をバッファする。主イヤピース１２の独立したコンポーネントとして図示されるが、オーディオ出力バッファ５８はメモリ５６に含まれてよい。 
オーディオ出力回路６２はディジタルアナログ変換器（ＤＡＣ: digital-to-analog converter）７０およびオーディオアンプ(audio amplifier)７２を含む。ＤＡＣ  ７０はデジタル化オーディオをアナログオーディオ信号に変換する。このアナログオーディオ信号は、この後スピーカ６８を駆動するためにオーディオアンプ７２によって増幅される。オーディオ出力回路６２は、好ましくは市販の既製コンポーネントを用いて実現される。 
スピーカ６８は、アンプ７２から出力される電電気信号を音に変換する何らかのふさわしいオーディオトランスデューサである。 
マイク（ＭＩＣ）６６は音を電気信号に変換する何らかのふさわしいマイク装置である。マイク６６およびスピーカ６８は、主イヤピース１２の構成次第で組み合わせて単一デバイスにしてよい。 
マイク入力回路６４はマイク６６から受け取った電気信号を処理する。マイク入力回路６４はアナログディジタル変換器（ＡＤＣ: analog-to-digital converter）７４および雑音低減エコーキャンセル回路（ＮＲＥＣ: noise reduction and echo cancellation circuit）７６を含む。ＡＤＣ７４はマイクからのアナログ信号をこの後ＮＲＥＣ７６で処理されるデジタル信号へ変換する。ＮＲＥＣ７６は通信および音声制御アプリケーションに対して不所望なオーディオ生成物（undesirable audio artifacts）を低減するために用いられる。マイク入力回路６４、ＡＤＣ７４、およびＮＲＥＣ７６は市販のハードウェア、ソフトウェア、ファームウェア、または何らかのふさわしいこれらの組み合わせを用いて実現されてよい。 
マイク６６は、主無線リンク２０でオーディオソース１０にオーディオデータを送ってよい。 マイク信号を受け取るデバイスは、一般に主イヤピース１２にオーディオを送っているものと同じオーディオソースデバイスである必要がない。 
オーディオＴｘバッファ６０は、副イヤピース１４で演奏するためにデジタル化オーディオが副無線インタフェース５２で送信される前にこのデジタル化オーディオを一時的に格納する何らかのふさわしいメモリデバイスである。オーディオＴｘバッファ６０はプロセッサ５４によって制御され、副イヤピース１４への送信を待つタイムスタンプされたオーディオパケット(time-stamped audio packets)をバッファする。主イヤピース１２の独立したコンポーネントとして図示されるが、オーディオＴｘバッファ６０はメモリ５６に含まれてよい。 
副無線インタフェース５２は副イヤピース１４との双方向無線通信を提供する。好ましくは、副無線インタフェース５２が市販のＮＦＣモジュールを含み、これが少なくともＮＦＣ ＲＦトランシーバ、ベースバンドプロセッサ、プロトコルスタック、さらにはＮＦＣモジュールをプロセッサ５４に接続するハードウェアおよびソフトウェアインタフェースを提供する。    
バッテリ７０は、主イヤピース１２に電力を供給する交換可能な充電池であり得る。バッテリ充電器回路７２は、バッテリ７０がＡＣウォールアダプタ(AC wall adapter)を用いて充電されることを可能にする外部ジャックを持つ市販のバッテリ充電器回路であってよい。バッテリ充電器回路７２はプロセッサ５４によって制御されてよい。 
副イヤピース１４はアンテナ(antenna)３０、副無線インタフェース(secondary wireless interface)１００、プロセッサ(processor)１０２、メモリ(memory)１０４、オーディオバッファ(audio buffer)１０６、オーディオ出力回路(audio output circuitry)１０８、およびスピーカ(speaker)１１０を含む。副イヤピース１４はさらにバッテリ(battery)１１６およびバッテリ充電器回路(battery charger circuit)１１８を含む。 
プロセッサ１０２は副イヤピース１４の全体動作、並びにこれに収容されるある特定コンポーネントを制御する。プロセッサ１０２は、ここに記述されるような機能およびプロセスを副イヤピース１４に行なわせるためにメモリ１０４に格納されたプログラム命令を実行する何らかのふさわしい処理デバイスであってよい。例えば、プロセッサ１０２は、ＡＲＭ７、デジタル信号プロセッサ（ＤＳＰ）、１以上の特定用途向け集積回路（ＡＳＩＣ）、複数のフィールドプログラム可能ゲートアレイ（ＦＰＧＡ）、複数のプログラム可能複合ロジックデバイス（ＣＰＬＤ）、ディスクリートロジック、ソフトウェア、ハードウェア、ファームウェアあるいは何らかのふさわしいこれらの組み合わせのようなマイクロプロセッサでよい。
【００１３】
メモリ１０４は、プロセッサ１０２によって実行され使用されるプログラム命令およびデータを格納する何らかのふさわしいメモリデバイスである。   
副無線インタフェース１００は主イヤピース１２との双方向無線通信を提供する。好ましくは、副無線インタフェース１００が市販のＮＦＣモジュールを含み、
これが少なくともＮＦＣ ＲＦトランシーバ、ベースバンドプロセッサ、プロトコルスタック、ＮＦＣモジュールをプロセッサ１０２に接続するハードウェアおよびソフトウェアインタフェースを提供する。 
オーディオバッファ１０６は、デジタル化オーディオが副イヤピース１４で演奏するためにオーディオ出力回路１０８に転送される前にこのデジタル化オーディオを一時的に格納する何らかのふさわしいメモリデバイスである。オーディオバッファ１０６は、プロセッサ１０２によって制御され、副無線インタフェース１００で受信され副イヤピース１４での出力を待つタイムスタンプされたオーディオパケットをバッファする。副イヤピース１４の独立したコンポーネントとして図示されるが、オーディオバッファ１０６はメモリ１０４に含まれてよい。 
オーディオ出力回路１０８はディジタルアナログ変換器（ＤＡＣ）１１２およびオーディオアンプ１１４を含む。ＤＡＣ１１２はデジタル化オーディオをアナログオーディオ信号に変換する。アナログオーディオ信号はこの後スピーカ１１０を駆動するためにオーディオアンプ１１４によって増幅される。オーディオ出力回路１０８は市販の既製コンポーネントを用いて好ましくは実現される。 
スピーカ１１０は、アンプ１１４から出力される電気信号を音に変換する何らかのふさわしいオーディオトランスデューサである。
【００１４】
バッテリ１１６は、副イヤピース１４に電力を供給する交換可能な充電池であり得る。バッテリ充電器回路１１８は、バッテリ１１６がＡＣウォールアダプタを用いて充電されることを可能にする外部ジャックを持つ市販のバッテリ充電器回路でよい。バッテリ充電器回路１１８はプロセッサ１０２によって制御されてよい。 
図４は、この無線ヘッドセットに含まれる主イヤピース１２のある機能的側面を示す概念ブロック図である。主イヤピース機能(primary earpiece functions)４００は副イヤピース発見機能(secondary earpiece discovery function)４０２、イヤピース同期機能(earpiece synchronization function)４０４、およびオーディオ処理機能(audio processing function)４０６を一般に含むが、これに限定されない。 
副イヤピース発見機能４０２は、副無線イヤピース１４が副無線リンク２２経由で主イヤピース１２の範囲内にある場合に副無線イヤピース１４の存在を検知することに関与する。副イヤピース１４の検出に伴い、主イヤピースはオーディオが副イヤピース１４で出力できるように副イヤピース１４との無線リンク２２を開始して確立する。検出およびリンク開始プロトコルおよび手順はＮＦＣ標準仕様書(NFC standard specification)に記述される。
【００１５】
各イヤピース１２および１４は、ヘッドセットイヤピースが互いに認識して通信するだけで対になれるようにそれぞれのメモリ５６、１０４に固有の識別番号を格納できる。 
主イヤピース１２は、副イヤピースが副無線リンク２２の範囲内に無いときにシングルイヤピースモード（スタンドアローンモード）で動作し、副イヤピース１４が範囲内にあるときにデュアルイヤピースモード（フルヘッドセットモード）で動作するように適応構成される。シングルイヤピースモードでは、主イヤピース１２が副イヤピース１４への送信用にオーディオを処理せず、主イヤピース１２だけで出力するために入力されたステレオをいずれもダウンミックスする。これは、主イヤピース１２の電力消費を低減する。   
デュアルイヤピースモードでは、主イヤピースがオーディオおよび時間同期データを処理して副イヤピース１４へ送信する。主イヤピース１２は、無線範囲で副イヤピース１４の存在を検出することに伴ってシングルイヤピースモードからデュアルイヤピースモードへ切り換え、また副イヤピース１４が無線範囲の外に移動したと判断したことに伴ってデュアルイヤピースモードからシングルイヤピースモードへ切り換えることができる。 
メモリ５６に格納されプロセッサ５４によって実行されるソフトウェアまたはファームウェアは、この主イヤピース１２のイヤピースモード機能性(earpiece mode functionality)を実現できる。このソフトウェア／ファームウェアは、副リンク２２上での副イヤピース１４の有無を検知してデュアルイヤピースモードおよびシングルイヤピースモード間で直ぐに上述の切り換えを行うために積極的に副無線インタフェース５２を監視するプロセッサ５４を構成できる。       
イヤピース同期機能４０２は主および副イヤピース１２、１４内のローカルクロックを同期させて両イヤピース１２、１４でオーディオ出力を同期させることに関与する。これは、異なるイヤピース１２、１４でのオーディオの個別演奏がチャンネル間同期を保持することを確実にする。両イヤピース１２、１４は個別のオーディオ出力クロックを維持する。これらクロックはひとまとめのオーディオをいつスピーカ６８、１１０でイヤピース１２および１４から出力するかを決定するために用いられる。これらオーディオ出力クロックはほぼ同じ周波数を有し、各々絶対的現在時刻値を有する。イヤピース同期機能４０２は、主イヤピースオーディオ出力クロックの現在時刻値と少なくともほとんど等しくなるように、周期的に副イヤピースオーディオ出力クロックの現在時刻値を調整する。イヤピース同期機能４０２は、またローカルオーディオ出力クロックの周波数を制御できる。 図７および８は、イヤピースオーディオ出力クロックを同期させる方法について記載する。 
オーディオ処理機能４０６は、オーディオソース１０から受信されるオーディオの受信、トランスコーディング（もし必要であれば）、再送信、および再生に関与する。図５は、主イヤピース１２のオーディオ処理機能４０６を行う方法について記載する。図６は、副イヤピース１４によって行われるオーディオ処理について記載する。 
図５は、無線ヘッドセット１１の主イヤピース１２によって行われるオーディオ処理方法を示すフローチャート５００である。一般に、この方法はプロセッサ５４の制御下で行われ、主イヤピース１２の様々なコンポーネントの動作を連携させる。   
ステップ５０２では、ブルートゥースストリーミングオーディオ接続がＡ２ＤＰ仕様書に記述されるようにオーディオソース１０と主イヤピース１２の間で確立される。このステップ中に、オーディオソース１０からの到来オーディオのオーディオコーデック(audio codec)タイプが検出される。主無線リンク２０としてブルートゥースを利用すると、オーディオソース１０および主イヤピース１２が交渉して、標準のＡ２ＤＰプロトコルおよびプロシージャを用いるコーデックタイプを検出可能である。   
ステップ５０４では、ブルートゥースストリーミングオーディオ接続が確立された後、オーディオパケットが主無線リンク２０でオーディオソース１０から送信され、主イヤピース１２の主無線インタフェース５０によって受信される。一般に、オーディオパケットは、交渉したコーデックを用いてエンコードされるデジタル化オーディオを含む。各オーディオパケットは、ヘッドセット１１で出力される例えば２０ミリ秒という所定持続時間の音を表す。これらオーディオパケットは、Ａ２ＤＰプロファイルに従ってフォーマットされ、１フレーム以上のエンコードしたオーディオを含むことができる。オーディオは、ＳＢＣ、ＭＰＥＧ−１オーディオ、ＭＰＥＧ−２オーディオを含むが、これらに限定されない何らかのふさわしいオーディオコーデックを用いてエンコードされ得る。
【００１６】
判断ステップ５０６では、プロセッサ５４が副無線リンク２２での再送信に先立って到来オーディオをトランスコードすべきか判断する。一般に主無線リンク２０で用いるコーデックタイプがＭＰＥＧ−１のような比較的複雑なものであれば、到来オーディオが比較的複雑なコードから、ブルートゥースサブバンドコーデック（ＳＢＣ: sub-band codec）のような演算量削減コーデック(reduced-complexity codec)を用いたより単純なコードへ変換される。
【００１７】
オーディオパケットがトランスコードされることになる場合には、到来パケットが最初に第１および第２オーディオチャンネル（ステップ５０８）へ完全にデコードされる。副イヤピース１４向けである第２オーディオチャンネルは演算量削減コーデック（ステップ５１０）を用いて再エンコードされる。演算量削減コーデックはプロセッサ５４上で走るソフトウェアによって実現され得る。 
オーディオパケットがトランスコードされない場合には、オーディオパケットが部分的にデコードされるだけである。具体的には、第１オーディオチャンネルだけが主イヤピース１２（ステップ５１２）での再生のためにデコードされる。第２チャンネルオーディオはデコードされず、副無線リンク２２で副イヤピース１４へ送信するために単に再パケット化される。 
ステップ５１４では、デコードした第１オーディオチャンネルが主イヤピース１２のスピーカ６８での後続出力のためにオーディオ出力バッファ５８にバッファされる。デコードされた第１チャンネルオーディオの各パケットは、副イヤピース１４でのオーディオ出力に同期して出力されるようにタイムスタンプされる。
【００１８】
ステップ５１６では、プロセッサ５４が第２オーディオチャンネルを副無線リンク２２経由で副イヤピース１４へ送信するために１以上のオーディオパケットへパケット化する。図９は副無線リンク２２上で送信されるオーディオパケット８００のための模範的フォーマットを示すく。これらオーディオパケットは、ＮＦＣインタフェースおよびプロトコル（ＮＦＣＩＰ−１）仕様書（ＩＳＯ／ＩＥＣ  １８０９２）に従って、ＮＦＣリンクでの送信用に好ましくはフォーマットされる。 
ステップ５１８では、タイムスタンプはこれらオーディオパケットの各々に含まれる。これらタイムスタンプは、副イヤピース１４がこれらパケットに含まれるオーディオを出力する時刻を示す。これらタイムスタンプは、主および副イヤピース１２、１４のオーディオ出力を同期させるために有用である。 
ステップ５２０では、主イヤピース１２がタイムスタンプされたオーディオパケットを副無線リンク２２で副イヤピース１４へ送信する。これらオーディオパケットは、ＮＦＣインタフェースおよびプロトコル（ＮＦＣＩＰ−１）仕様書（ＩＳＯ／ＩＥＣ  １８０９２）に従ってＮＦＣリンクで好ましくは送信される。 
ステップ５２２では、オーディオ出力バッファ５８に格納されたデコード済第１チャンネルオーディオが主イヤピース１２によって出力される。バッファした第１チャンネルオーディオの各パケットは、主イヤピース１２内のローカルクロックがオーディオパケットのタイムスタンプと等しいときに出力される。これは、パケットタイムスタンプをローカルオーディオ出力クロックと比較するプロセッサ５４によって達成される。パケットタイムスタンプがローカルオーディオ出力クロックと等しいときに、プロセッサ５４はスピーカ６８での出力用にオーディオ出力バッファ５８から出てくるパケットに含まれるデジタル化オーディオをオーディオ出力回路６２へ転送し始める。
【００１９】
図６は、無線ヘッドセット１１の副イヤピース１４を動作させる方法を示すフローチャート６００である。一般に、この方法は副イヤピース１４の様々なコンポーネントの動作を連携させるプロセッサ１０２の制御下で行われる。   
ステップ６０２では、主イヤピース１２と副無線リンク２２が確立される。このステップは、副無線インタフェース５２、１００に含まれてよいＮＦＣ標準インタフェースに含まれるデバイス発見およびリンク開始プロトコルによって達成し得る。 
ステップ６０４では、副イヤピース１４のローカルオーディオ出力クロックが主イヤピース１２オーディオ出力クロックと同期される。 このステップの詳細は、図７および８に関連して以下に述べられる。
【００２０】
ステップ６０６では、主イヤピース１２からのオーディオパケットが副無線インタフェース１００で受信される。これらオーディオパケットは、好ましくはＮＦＣリンクで送信され、ＮＦＣインタフェースおよびプロトコル（ＮＦＣＩＰ−１）仕様書（ＩＳＯ／ＩＥＣ  １８０９２）に従ってフォーマットされる。これらオーディオパケットは、スピーカ１１０での出力用にオーディオ内容をデキャプスレート(de-encapsulate)してアセンブル(assemble)するためにプロセッサ１０２によって処理される。 
ステップ６０８では、これらオーディオパケットがプロセッサ１０２によってデコードされる。副無線リンク２２でのオーディオ送信のために主および副イヤピース１２、１４によって用いられるオーディオコーデックは、好ましくは予め決められている。オーディオコーデックはＡ２ＤＰ標準に記載のＳＢＣコーデックであってよい。 
ステップ６１０では、オーディオパケットのデコードコンテンツがオーディオバッファ１０６にバッファされる。 
ステップ６１２において、バッファした各オーディオパケットは、ローカルオーディオ出力クロックがオーディオパケットタイムスタンプに等しいときに副イヤピース１４によってそのスピーカ１１０を介して出力される。これは、これらパケットタイムスタンプをローカルオーディオ出力クロックと比較するプロセッサ１０２によって達成される。 パケットタイムスタンプがローカルオーディオ出力クロックに等しいときに、プロセッサ１０２はスピーカ１１０での出力用にオーディオ出力バッファ１０６から出てくるパケットに含まれるデジタル化オーディオをオーディオ出力回路１０８へ転送し始める。
【００２１】
図７は、主および副イヤピース１２、１４間でのクロック同期の方法を示すフローチャート７００である。方法ステップ７０２〜７０６は、主および副イヤピース１２、１４においてオーディオ出力クロックの同時性を維持するために予め定めた間隔で周期的に繰り返される。ステップ７０２では、タイムスタンプが主イヤピース１４によって生成される。このタイムスタンプは、主イヤピース処理に起因する何らかの予期送信処理遅延および副無線リンク２２に起因する何らかの予期送信遅延を加えて、主イヤピース１４によって維持される現在時刻を表わすことができる。
【００２２】
ステップ７０４では、タイムスタンプが時間同期パケット８５０において副無線リンク２２で副イヤピース１４へ送信される。時間同期パケット８５０の模範的フォーマットは図９に示される。成功裡に時間同期パケットを受信すると、副イヤピース１４は時間同期ハンドシェークを副無線リンク２２で主イヤピースへ戻すようへ送信する。主イヤピース１２は、ハンドシェークが主イヤピース１２で成功裡に受信されない場合に、次のクロック同期サイクルに先立って新規の時間同期パケットを再送する誤り訂正ルーチンを含んでよい。 
ステップ７０６では、副イヤホン１４のローカルオーディオ出力クロックは、時間同期パケット８５０に包含されるタイムスタンプに従って設定される。図８は、副イヤピース内のローカルオーディオ出力クロックを調整するプロセスを概念的に示す。このプロセスは副イヤピース１４のプロセッサ１０２によって実行されるソフトウェア／ファームウェアにおいて実現できる。減算器７５４は、ローカルオーディオ出力クロックの現在時刻値７５２および受信タイムスタンプ７５０間の差を算出する。減算器７５４の出力はタイムスタンプおよびローカルオーディオ出力クロック間の評価誤差を表す。フィルタ７５８はこの評価誤差をレシーバ処理遅延７５６と比較するためにこの評価誤差に適用される。レシーバ処理遅延７５６は、一般に副イヤピース１２が時間同期パケットを処理するためにかかる時間の量を表わす。このレシーバ処理遅延７５６は、副イヤピースメモリ１０４内に格納された予め定めた一定値であったり、例えば副イヤピースプロセッサ１０２でいつも決まって経験する処理遅延の統計結果に基づいてダイナミックに決められたりしてよい。 評価誤差およびレシーバ処理遅延７５６が等しくない場合には、フィルタ７５８がローカルオーディオ出力クロックを調整する調整要素を生成する。この調整要素は、一般に評価誤差およびレシーバ処理遅延７５６間の差である。 
図９は、主および副イヤピース１２、１４間において副無線リンク２２で送信されるオーディオおよび時間同期(sync)パケットの模範的フォーマットを示す。
【００２３】
オーディオパケット８００はパケットタイプ識別子８０２、ペイロード長８０４、巡回冗長検査（ＣＲＣ）フィールド８０６、パケットタイムスタンプ８０８、並びに例えばオーディオフレーム１  ８１０〜オーディオフレームＮ  ８１２のような１以上のオーディオフレームを含み、ここでＮは１を越える整数である。オーディオパケットのペイロードはパケットタイムスタンプ８０８、オーディオフレーム８１０、８１２を含む。 
パケットタイプ識別子８０２は、パケットがオーディオパケットあるいは時間同期パケットを示す単一ビット値であり得る。例えばパケットタイプ識別子８０２が「０」に設定される場合にパケットは時間同期パケットであって、 またパケットタイプ識別子８０２が「１」に設定される場合にパケットはオーディオパケットである。 
ペイロード長８０４は、パケットペイロードのバイト計数値を示す１５ビットの値であり得る。 
ＣＲＣフィールド８０６は、パケットの他のフィールド上に計算された１６ビットのＣＲＣ価値を含み得る。ＣＲＣ誤り検出の技術は周知であり、ＣＲＣ値は何らかのふさわしいＣＲＣアルゴリズムを用いて計算できる。チェックサム(checksums)等を含む他のタイプの誤り検出および／または補正がＣＲＣの代わりに採用され使用されてもよい。 
パケットタイムスタンプ８０８は、主イヤピース１２によって生成されたタイムスタンプを含む。パケットタイムスタンプ８０８は、オーディオパケット８００内に含まれるオーディオが副イヤピース１４で出力され始める時刻を示す。オーディオパケット８００は３２ビットの値でよい。 
オーディオフレーム８１０、８１２はブルートゥースＳＢＣのオーディオフレームであってよい。 
時間同期パケット８５０はパケットタイプ識別子８０２、ペイロード長さ８０４、ＣＲＣフィールド８０６およびタイムスタンプ８１４を含む。タイムスタンプ内の時間同期パケットのペイロード。 タイムスタンプは、主イヤピース１４での現在時刻を示す３２ビットの値であり得る。このタイムスタンプは、図７および８に関連して述べたように、副イヤピースのローカルオーディオ出力クロックを調整するために用いられる。   
１以上の模範的実施形態において、記載された複数の機能はハードウェア、ソフトウェア、ファームウェアあるいはそれらの何らかの組み合わせで実現されてよい。 ソフトウェアにおいて実現されるとすれば、これら機能はコンピュータ可読媒体上の１以上命令あるいはコードとして格納されたり送信されたりしてよい。コンピュータ可読媒体はコンピュータ記憶媒体、並びにある場所から他の場所へコンピュータプログラムの転送を容易にする何らかの媒体を含む通信媒体の両方を含む。記憶媒体はコンピュータによってアクセス可能な何らかの媒体でよい。 限定でない例として、こうしたコンピュータ可読媒体はＲＡＭ、ＲＯＭ、ＥＥＰＲＯＭ、ＣＤ−ＲＯＭまたは他の光ディスクストレージ、磁気ディスクストレージ、または他の磁気ストレージデバイスを含んでよく、また所望のプログラムを命令やデータ構造の形式で運搬したり格納したりするために利用できかつコンピュータでアクセス可能な他の媒体を含んでよい。また、いずれの連結も適切にコンピュータ可読媒体と名付けられる。例えばソフトウェアが同軸ケーブル、光ファイバーケーブル、ツイストペア、デジタル加入者線（ＤＳＬ）、あるいは赤外線、無線およびマイクロ波のような無線技術を使用してウェブサイト、サーバーあるいは他の遠隔ソースから送信される場合、同軸ケーブル、光ファイバーケーブル、ツイストペア、ＤＳＬあるいは赤外線、無線およびマイクロ波のような無線技術は媒体の定義に含まれる。通常磁気的にデータを再生するディスク(disk)およびレーザでデータを光学的に再生するディスク(disc) でここで用いられものは、コンパクトディスク（ＣＤ: compact disc）、レーザーディスク(登録商標)(laser disc)、光ディスク(optical disc)、デジタル多用途ディスク（ＤＶＤ: digital versatile disc）、フロッピー(登録商標)ディスク(floppy(登録商標) disk)およびブルーレイ(登録商標)ディスク(blu-ray disc)を含む。 上記のものの組み合わせもまたコンピュータ可読媒体の範囲内で含まれるべきである。 
特定の実施形態が記述された。しかしながら、これらの実施形態への様々な変形が可能であり、ここに提示された原理は他の実施形態にも同様に適用されてよい。ここに記述されるような方法および／またはコンポーネントは、ハードウェア、ソフトウェア、ファームウェアあるいは上記の何らかのふさわしい組み合わせで実現されてよい。様々なコンポーネントおよび／または方法ステップは、マイクロプロセッサ、ＤＳＰ、埋め込みコントローラ、あるいはヘッドセット１１またはオーディオソース１０に含まれた知的資産（ＩＰ）コアのような１以上のデジタル回路によって実行可能な複数の命令(例えばコードセグメント)のセットを持つソフトウェアプログラムにおいて実現されてよい。
【００２４】
他の実施形態および変形が、これらの教示を考慮することで当該技術の熟練者にとって容易に見出せることになる。従って、後続する複数の請求項は、上記の明細書および添付の図面と共に考慮したときにこうした実施形態および変形の全てをカバーすることを意図するものである。 
【図１】
2010523018.tif 000003
【図２】
2010523018.tif 000004
【図３】
2010523018.tif 000005
【図４】
2010523018.tif 000006
【図５】
2010523018.tif 000007
【図６】
2010523018.tif 000008
【図７】
2010523018.tif 000009
【図８】
2010523018.tif 000010
【図９】
2010523018.tif 000011
【国際調査報告】
2010523018.tif 000012
2010523018.tif 000013
2010523018.tif 000014